(57)【特許請求の範囲】
【請求項１】
上下二枚重ね一体構造からなるトイレットペーパーホルダー５は、下カバー５ｂが上カバー５ａより長く設けられ下カバー５ｂの表面上部の次回引き出しトイレットペーパー８ｂの見通しえる状態で上下のカバー５ａ，５ｂは、固定部５ｃにおいて上下一体に固定され、反対側は開放されており、その上カバー５ａの壁面側端部の中央部分には取付固定具３が加入する切欠部６を設け、その両側端部にペーパー上部保持棒４ｂを枢着するカバー回転部５ａ１，５ａ２を設けてなり、一方、ペーパー保持棒４は、ペーパー上部保持棒４ｂとペーパー下部保持棒４ｃを有するコ字状に形成され、ペーパー保持棒４のペーパー上部保持棒４ｂは、直線状に形成し、そのペーパー上部保持棒４ｂには、上カバー５ａが上下回動自在となるように枢着させ、上カバー回転部５ａ1，５ａ2との間に取付固定具３を加入し、取付固定具３に設けられた取付固定具孔３ａにペーパー上部保持棒４ｂを貫通させ、その中央部である保持棒固定部４ａで固定されてなることを特徴とするトイレットペーパーホルダー。
【発明の詳細な説明】
【技術分野】
【０００１】
本発明は、トイレットペーパーホルダーに関し、特に、ロールペーパーの装着とトイレットペーパーの引出し、切断を容易にして又次回引出し把持トイレットペーパーを片手で単純１回の作業で確保出来ることが可能なトイレットペーパーホルダーに関する。
【背景技術】
【０００２】
【特許文献１】特開２００４−２７５６５１（特願２００３−１１０８９３号）トイレットペーパーホルダーの発明は、この出願人本人ものであり、本発明はこの発明の改良発明である。
【特許文献２】登録実用新案第３０９０７６８号の考案は、ロールペーパーが両枠で支えられているトイレットペーパーホルダーで、カバーの中ほどにロールペーパーが通るだけのスリットを設けたトイレットペーパーホルダーであって、スリットにペーパーを通す方式である。
【０００３】
従来のトイレットペーパーホルダーは、取付けられているロールペーパーのトイレットペーパーを必要な量の長さだけを切取ると、切口の部分がカバーの影に隠れて見えず、切口の部分を見付けるには、いちいちカバーを持ち上げてトイレットペーパーの切口を探していた。
【０００４】
また、その改良型であるトイレットペーパーホルダーは、カバーの中ほどにペーパーが通るだけのスリットを設けて、ペーパーの端をこのスリットから引き出しておき常にトイレットペーパーの端が見えるようにし、かつ、トイレットペーパーの端をロールペーパーから切取るようにしたものがある。
しかし、この考案のものは、スリットから引き出されたトイレットペーパーの切り口の部分が短く、トイレットペーパーを切取る反動でロールペーパーが逆転したり、衣服等がロールペーパーに接触してロールペーパーが逆転して、トイレットペーパーの切り口を見失う等の不具合がある。
【発明の開示】
【発明が解決しようとする課題】
【０００５】
本願発明は、係る従来の不具合を解決するためになされたもので、一般に使用されているトイレットペーパーホルダーは、回転自在に捲回されているロールペーパーの上にカバーが装着されていて、使用時にはカバーの裏側に隠れているペーパーを探すため、まず、カバーを引き上げてペーパーを探し、片手で引き出した後他方の片手でカバーを押え、ペーパーを上方向に引き上げて千切る構造である。両手を使用しないとカバーが上方向に開いて使用できない。
【０００６】
カバーは、単なるホコリ除けであり、大変使用勝手が悪く不便である。これを片手でペーパーを引き出し、その片手でペーパーを引き千切り、その引き千切り作業と同時に次回引き出し用把持ペーパーをペーパーガイド用下カバーの表面上部に確保することが出来るトイレットペーパーホルダーの発明である。
【０００７】
本願発明に係る要点は、１．下カバーの長さより短い上カバーを備えた上下二枚重ねのトイレットペーパーホルダーは、常に、切り残された紙が下カバー上にあること。２．上下二枚重ねのトイレットペーパーホルダーは、側端部が上下固定部において固定しているため上下カバーの間隔が一定に保たれ一方が開放され、トイレットペーパーを上カバーと下カバーの間に挟み易いこと。３．途中で紙が切れて挟み直すときも簡単であること。４．ペーパー保持棒は、トイレットロールペーパーの脱落防止と取替えが容易で、且つ、トイレットロールペーパー使用後の紙芯の取出しも容易であること。等がこの発明の要点である。
【課題を解決するための手段】
【０００８】
上記述の目的を達成するため、この発明に係る上下二枚重ね一体構造からなるトイレットペーパーホルダーは、下カバーが上カバーより長く設けられ、下カバーの表面上部には次回引き出しトイレットペーパーの見通しえる状態にし、上下のカバーは、固定部において上下一体に固定され、反対側は開放されており、その上カバーの壁面側端部二箇所にカバー回転部を設けてなり、そのカバー回転部にペーパー上部保持棒を上下一体のカバーが上下回動自在となるように枢着する。
【０００９】
一方、ペーパー上部保持棒は、取付固定孔に貫通させたその中央部である保持棒固定部で固定されてなる上下二枚重ね一体構造からなるトイレットペーパーホルダーを形成するものである。
【発明の効果】
【００１０】
本発明の上下二枚重ね一体構造からなるトイレットペーパーホルダーは、下カバーが上カバーより長く設けられてなり、ペーパー下部保持棒に有するロールペーパーは、下カバーと上カバーの間を通し、下カバーの先端でトイレットペーパーを切るため、下カバーの上にある次回引き出しトイレットペーパーは、目視確認され易く、次回引き出しトイレットペーパーの引き出しが容易である。
【００１１】
上下カバーは、一側端が固定部において上下一体に固定されているため、トイレットペーパーが、上下二枚重ねから外れても、反対側端が開放されており、上カバー回転部を軸にして、上下一体となっているカバーは、上下回動自在となっているので、上下カバーを上げて、下カバーと上カバーの間にトイレットペーパーを通し易いものである。
【００１２】
上下一体となっているカバーは、上カバー回転部を軸にして、上下回動自在となっているが、トイレットペーパー切るときには、下カバー上にある次回引き出しトイレットペーパーを所望の長さまで引き、下方へ力を加えるとトイレットペーパーは下カバーの先端で切られ所望トイレットペーパーが確保できる。
【００１３】
ペーパー上部保持棒は、取付固定具孔を貫通し、ペーパー上部保持棒の中央部分で取付固定具により固定され、その取付固定具は壁に固定されているため、上下二枚重ね一体構造からなるトイレットペーパーホルダーは安定性があり、トイレットペーパーを片手で引いてもするすると所望の長さのトイレットペーパーを得ることができる。
【００１４】
ペーパー保持棒は、ペーパー下部保持棒の端部がペーパー上部保持棒に向かって上向きに曲げられ、ペーパー下部保持棒の端部とペーパー上部保持棒との開口部は広く、下部保持棒にロールペーパーの取替えとトイレットペーパー使用後、トイレットペーパーの紙芯の取出しも簡単である。
【００１５】
そして、そのペーパー上部保持棒には上カバーが上下回動自在となるように枢着させ、カバー回転部との間に取付固定具を加入し、取付固定孔にペーパー上部保持棒を貫通させた上部保持棒は、取付固定具とその中央部である保持棒固定部で固定され、取付固定具により壁面に取り付けられるため安定であり、且つ、ペーパー下部保持棒とロールペーパーの紙芯との接着面が極めて少なく、ロールペーパーは良く回転し、トイレットペーパーの引出しが容易である。
【００１６】
本願発明に係る上下二枚重ね一体構造からなるトイレットペーパーホルダーは、上下二枚重ね一体構造からなるカバーとペーパー保持棒及び取付固定具の三個の部品からなり、その構造も簡単であるからその制作費も安価である。
【発明を実施するための最良の形態】
【００１７】
本願発明に係わる上下二枚重ね一体構造からなるトイレットペーパーホルダーは、壁面等垂直な面に取り付け、ロールペーパーを回転自在に装着し、下カバーの表面上部にあるトイレットペーパーを片手で所望の長さまで引き出し、そのまま片手でトイレットペーパーを下方に向けて力を加えると、ロールペーパーは、下カバーの裏面で、押さえつけられて回転を止め、下カバー先端にてトイレットペーパーが切断され所望のトイレットペーパーが確保でき、上下二枚重ね一体構造からなるペーパーホルダーは、下カバーに比べて上カバーは短く、ペーパー下部保持棒に有するトイレットペーパーは、下カバーと上カバーの間を通し、下カバーの先端で紙を切るため、下カバーの上を次回使用の引き出すトイレットペーパーは明確に確認され易く、次回使用トイレットペーパーの引き出しが容易である。
【実施例】
【００１８】
図面について説明すると、図１は、本願発明によるトイレットペーパーホルダー５の全体斜視図であって、その使用態様を示している図面である。
【００１９】
次に、本願発明の実施例を図面で詳細に説明すると、図１は、本願発明による上下二枚重ね一体構造からなるトイレットペーパーホルダー５の全体斜視図であり、壁面取付具１により壁面取付螺子２で壁面側９に取り付けられている状態で、ロールペーパー8ａの切れ端の先端１０が、上下二枚重ね一体構造からなる上カバー５ａと下カバー５ｂの間である下カバー５ｂの表面の上を通って、下カバー先端７にて、トイレットペーパーが切断されている状態を示している。
【００２０】
これを更に図面で詳細に説明すると、上下二枚重ね一体構造からなるトイレットペーパーホルダー５は、下カバー５ｂが上カバー５ａより長く設けられ、下カバー５ｂの表面上部には次回引き出しトイレットペーパー８ｂの見通しえる状態にし、上下のカバー５ａ，５ｂは、固定部５ｃにおいて上下一体に固定され、反対側は開放されている。
その上カバー５ａの壁面側端部二箇所にペーパー上部保持棒４ｂを枢着するカバー回転部５ａ１，５ａ２を設けている。
【００２１】
一方、ペーパー上部保持棒４ｂには、上下一体のカバー５ａ，５ｂが上下回動自在となるように枢着させ、カバー回転部５ａ１，５ａ２との間に取付固定具３を加入し、取付固定具孔３ａにペーパー上部保持棒４ｂを貫通させた上部保持棒４ｂは、取付固定具３とその中央部である保持棒固定部４ａで固定されて、上下二枚重ね一体構造からなるトイレットペーパーホルダー５は、形成されるものである。
【００２２】
図１では、取付固定具３を一箇所で表示しているが、この取付固定具３は、二箇所設けても良く、その機能はほぼ変わらないが、より強く安定して取り付けられるものである。
【００２３】
下カバー５ｂは、上カバー５ａより長く設けられ下カバー５ｂの表面上部に次回引き出しトイレットペーパー８ｂの見通しえる状態となっている。この表面上部を通過したトイレットペーパー８は下カバー先端7により切取られ、その残りのトイレットペーパー８は、次回引き出し用トイレットペーパー８ｂを目視確認できて、トイレットペーパー８ｂが掴み易いように掴み部分をより広く提供している。
このため、トイレットペーパー８が下カバーの先端7により切取られた際の余力で、ペーパー８ｂは跳ねかえりによるトイレットペーパー切口１０が、ロールペーパー８ａへの戻ることの防止のために設けられた、上カバー５ａは、次回引き出し用トイレットペーパー８ｂが掴み易いように掴み部分をより広く提供するために短く作られている。
【００２４】
本願発明の図面では、上下二枚重ねの上カバー５ａと下カバー５ｂの一端側面の固定部５ｃにおいて固定され一体になっているため、上カバー５ａと下カバー５ｂの固定部５ｃは壁面となり、トイレットペーパーの脱落を防ぐ役目もしている。又上カバー５ａは下カバー５ｂと固定部５ｃにおいて固定し、一体構造となっているので上カバー５ａが上下運動すると下カバー５ｂも連動して動く構造である。
図１の斜視図では、上カバー５ａ、下カバー５ｂの固定部５ｃが左端に設けてあるが、右端に設けても良いその機能には変わりない。使用者の好みによって、使い勝手の良いほうを決めるものである。
【００２５】
上カバー５ａのカバー回転部５ａ１，５ａ２は、ペーパー上部保持棒４ｂより枢着されているペーパー上部保持棒４ｂは、図１に示すとおり真直ぐに成形されている。ペーパー保持棒４のペーパー下部保持棒４ｃには、ロールペーパー８ａが収容され、その回転と脱落を防止するため端部４は、上部保持棒４ｂに向かってロールペーパーの芯内を出入りする高さをもって、上向きに曲げられている。そのペーパー上部保持棒４ｂとペーパー下部保持棒４ｃの端部との間隔は、ロールペーパーの取替えが自由にできる間隔である。
【００２６】
上カバー５ｂは、上下回動自在となるように、カバー回転部５ａ１，５ａ２を設けるとともに取付固定具３が加入できるように切欠部６を設けてなり、カバー回転部５ａ１，５ａ２と取付固定具孔３ａと一致させて、そこにペーパー上部保持棒４ｂを挿入し、保持棒固定部４ａで固定して、上カバー５ａが形成されるものである。
【００２７】
ペーパー上部保持棒４ｂは、取付固定具３に設けられた取付固定具孔３ａに貫通され、保持棒固定部４ａで固定される。上カバー５ａには、自由に上下回動が出来るように切欠部６が設けられ、上下の回動に支障がないように作られている。
【００２８】
ペーパー上部保持棒４ｂは、取付固定具３に固定され取り付けられ、それに連なるペーパー下部保持棒４ｃに装填されているロールペーパー８ａが使用時に回転するので、そのとき、壁面に接触し回転に支障が出ない角度を保って取付固定具３の壁面取付具１は壁面取付螺子２で固定される。
【産業上の利用可能性】
【００２９】
下カバーは、上カバーより長く作られていて、下カバー表面上部の次回引き出しトイレットペーパーの見通しえる状態となっているので、この上面部にペーパーを通過したとき、使用ペーパーが掴み易いように作られており、このトイレットペーパーホルダーは、ロールペーパーが楽に回転し、使用ペーパーを引き出し易く、トイレットペーパーを下に押さえると切れ易いので、手の力の弱い老人、身障者に最適なトイレットペーパーホルダーである。
【図面の簡単な説明】
【００３０】
【図１】図１は、本発明によるトイレットペーパーホルダー５の全体斜視図であって、その使用態様を示している図面である。
【符号の説明】
【００３１】
１  壁面取付具
２  壁面取付螺子
３  取付固定具
３ａ  取付固定具孔
４  ペーパー保持棒
４ａ  保持棒固定部
４ｂ  ペーパー上部保持棒
４ｃ  ペーパー下部保持棒
４ｃ１  ペーパー下部保持棒の端部
５  トイレットペーパーホルダー
５ａ  上カバー
５ｂ  下カバー
５ａ１，５ａ２  カバー回転部
５ｃ  固定部
６  切欠部
７  下カバー先端
８ａ  ロールペーパー
８ｂ  次回引き出しトイレットペーパー
９  壁面側
１０  トイレットペーパー切口
【図１】
0004282031.tif 000002